(57)【要約】【課題】ファンにより送られた空気が商品収容部の上部まで流れ込むことを最小限に抑えることができる自動販売機の断熱構造を提供する。【解決手段】庫内３における断熱材５の背面部５ａと商品収容部７の背面との間における庫内底部から商品収容部７の下部の高さまで、庫内３の空気を下方に導くダクト９が設けられ、ダクト９の上端部に上開口部９ａが形成され、ダクト９の上方に、商品収容部７の背面に当接または近接するように前方に突出して、突出した箇所または突出した箇所よりも上方からダクト９の上開口部９ａに向けて空気が流入することを阻止する突出部５ｃが、ダクト９の上開口部９ａから隙間をあけた状態で、形成されている。【選択図】図１
2012003294.tif 000002
【特許請求の範囲】
【請求項１】
自動販売機本体の外殻をなす外箱に箱形状の断熱材が取り付けられて庫内が形成され、
商品が収納される商品収容部が前記庫内に配設され、
前記庫内における商品収容部の下方に、庫内の空気を冷却する冷却手段と、庫内の空気を加温する加温手段とが配設され、
断熱材の背面部と商品収容部の背面との間における庫内底部から商品収容部の下部または中央部の高さまで、庫内の空気を下方に導くダクトが設けられ、
ダクトの上端部に上開口部が形成され、
ダクトの上方に、商品収容部の背面に当接または近接するように前方に突出して、突出した箇所または突出した箇所よりも上方からダクトの上開口部に向けて空気が流入することを阻止する突出部が、ダクトの上開口部から隙間をあけた状態で、形成されている
ことを特徴とする自動販売機の断熱構造。
【請求項２】
突出部が、外箱に取り付けられた前記断熱材により形成され、この断熱材の箱形状部分における少なくとも背面部と前記突出部とが一体形成されていることを特徴とする請求項１記載の自動販売機の断熱構造。
【請求項３】
突出部が、商品収容部の背面に近接するように前方に突出して形成され、突出部と商品収容部の背面との間の隙間寸法ａが、断熱材の背面部と商品収容部の背面との間の隙間寸法ｂに対して、０．２〜０．６倍であることを特徴とする請求項１または２に記載の自動販売機の断熱構造。
【請求項４】
突出部が設けられていない断熱材の薄肉の部分の少なくとも一部に、突出部の厚肉部分よりも、断熱性が高い断熱材が配設されていることを特徴とする請求項１〜３の何れか１項に記載の自動販売機の断熱構造。
【請求項５】
突出部におけるダクトの上開口部と対向する箇所に、この箇所を空気が通過する際の圧力損失を低減する圧力損失低減形状部が形成されていることを特徴とする請求項１〜４の何れか１項に記載の自動販売機の断熱構造。
【請求項６】
前記突出部とダクトの上端部との間の隙間と、商品収容部との境界部を、これらの間の圧力差によって開閉する開閉体が設けられていることを特徴とする請求項１〜５の何れか１項に記載の自動販売機の断熱構造。
【発明の詳細な説明】
【技術分野】
【０００１】
本発明は自動販売機の断熱構造に関する。
【背景技術】
【０００２】
例えば特許文献１等に開示されているように、従来の自動販売機は、図１２に示すような構造とされている。前面扉を開閉自在に支持する自動販売機本体５０内に、商品を収納する庫内（庫内空間）５１が設けられている。すなわち、自動販売機本体５０の外郭部分をなす外箱５２において、その内壁面の上部から中央部にかけて発泡材などからなる箱状の断熱材５３が貼り付けられ、この断熱材５３の内部空間が庫内５１とされている。庫内５１はその前面開口部が内扉により開閉自在とされており、庫内５１には、商品を蛇行状に積み上げるなどして収納する商品収容部５４が配設されている。なお、商品収容部５４の下部には、下方に搬送されてきた商品を１つずつ払い出す払出機構などが設けられている。
【０００３】
断熱材５３の背面部内壁と商品収容部５４の背面部との間の下部には、上下に延びる通風用のダクト５５が配設されている。ダクト５５の上端部には上開口部５５ａが設けられ、この上開口部５５ａは、商品収容部５４の背面部における上下方向の略中央位置近傍に開口されている。また、断熱材５３の背面部内壁と商品収容部５４の背面部との間の、ダクト５５よりも上方箇所は、ダクト５５の前後寸法と同じ厚みの空間部５６とされている。ダクト５５の下端部前面には下開口部５５ｂが形成され、この下開口部５５ｂ近傍には、ダクト５５を通して、庫内５１の空気を吸引して送風する送風手段としてのファン５７が配設されている。
【０００４】
ダクト５５の下開口部５５ｂが開口されている庫内５１の底部には、冷却手段としての蒸発器，加温手段としてのヒータ，送風手段としての前記ファン５７などが配設され（ファン５７のみを図示する）、また、断熱材５３の下方に位置する自動販売機本体５０の底部空間（いわゆる庫外）には冷却手段の圧縮機や凝縮機などが配設され、蒸発器、圧縮機，凝縮機などが接続されて冷却手段（冷凍サイクル）が構成されている。なお、図１２における５８は商品払出用のシュートで、多数の通風孔が開けられて、通気性が確保されている。
【０００５】
ホット飲料の商品を販売する際にはヒータが作動され、コールド飲料の商品を販売する際には冷却手段が作動され、何れの場合もファン５７にて加温または冷却された空気が商品収容部５４側に送られる。加温または冷却された空気は、商品収容部５４内を通過した後、ダクト５５の上開口部５５ａからダクト５５内に流入し、ダクト５５を通ってダクト５５の下開口部５５ｂから排出され、再度、加温または冷却されて庫内５１を循環する。
【０００６】
ところで、従来における旧型の自動販売機においては、図１３に示すように、ダクト５５が、庫内５１の背面部における天井部近傍まで上方に延ばされて配設されており、これにより、ダクト５５の上開口部５５ａを通して、商品収容部５４における上部空間から空気を吸い込むように構成されていた。そして、このように構成することで、加温または冷却された空気が、商品収容部５４における下部から上部まで全体に循環して、商品収容部５４全体の商品を均一に冷却したり加温したりしていた。
【０００７】
しかし、この旧型の自動販売機では、直ぐに払い出されることの少ない、商品収容部５４における上部位置にある商品と、間近に払い出される可能性のある、商品収容部５４における上部位置にある商品とを同等に冷却したり加温したりしているので、冷却手段やヒータを長時間にわたって稼動させることとなり、電気代がかさむことが多く、省エネルギー化も図れないという短所があった。
【０００８】
このような短所を改善すべく、特許文献１等に開示されている従来の自動販売機では、図１２に示すように、ダクト５５の上開口部５５ａが、商品収容部５４の背面部における上下方向の略中央位置近傍に開口するようにして、旧型の自動販売機のダクト５５よりも短くしている。この構造により、図１２で実線の矢印で示すように、ダクト５５の上開口部５５ａから商品収容部５４における中央部（あるいは下部）の空気を主として吸引し、加温または冷却された空気が、商品収容部５４における中央部や下部を重点的に循環するように図って、冷却手段やヒータの稼動時間の短縮化、ひいては、電気代の低減や省エネルギー化を図っていた。
【先行技術文献】
【特許文献】
【０００９】
【特許文献１】特開２００３−２２３６７４号公報
【発明の概要】
【発明が解決しようとする課題】
【００１０】
しかし、上記した特許文献１等に開示されている従来の自動販売機では、断熱材５３と商品収容部５４との間のダクト５５よりも上方箇所は、ダクト５５と同じ厚みの空間部５６とされているので、ダクト５５の上開口部５５ａから商品収容部５４における中央部だけでなく上部の空気も吸引してしまい、図１２において点線の矢印で示すように、ファン５７により送られた空気が商品収容部５４の上部まで流れ込んで、循環してしまっていた。その結果、冷却手段やヒータの稼動時間の短縮化の効果があまり発揮されず、電気代の低減や省エネルギー化の効果も不十分となっていた。
【００１１】
本発明は上記課題を解決するもので、ファンにより送られた空気が商品収容部の上部まで流れ込むことを最小限に抑えることができる自動販売機の断熱構造を提供することを目的とする。
【課題を解決するための手段】
【００１２】
上記課題を解決するために、本発明は、自動販売機本体の外殻をなす外箱に箱形状の断熱材が取り付けられて庫内が形成され、商品が収納される商品収容部が前記庫内に配設され、前記庫内における商品収容部の下方に、庫内の空気を冷却する冷却手段と、庫内の空気を加温する加温手段とが配設され、断熱材の背面部と商品収容部の背面との間における庫内底部から商品収容部の下部または中央部の高さまで、庫内の空気を下方に導くダクトが設けられ、ダクトの上端部に上開口部が形成され、ダクトの上方に、商品収容部の背面に当接または近接するように前方に突出して、突出した箇所または突出した箇所よりも上方からダクトの上開口部に向けて空気が流入することを阻止する突出部が、ダクトの上開口部から隙間をあけた状態で、形成されていることを特徴とする。
【００１３】
この構成によれば、ダクトの上方に、商品収容部の背面に当接または近接するように前方に突出して形成された突出部により、この突出部が設けられている箇所や突出部よりも上方からダクトの上開口部に向けて空気が流入することが阻止されるので、商品収容部における上部（あるいは上部および中央部）の空気が吸引され難くなって、ファンなどにより送られた空気が商品収容部の上部（あるいは上部および中央部）まで流れ込んで循環することを最小限に抑えることができる。
【００１４】
また、本発明は、突出部が、外箱に取り付けられた前記断熱材により形成され、この断熱材の箱形状部分における少なくとも背面部と前記突出部とが一体形成されていることを特徴とする。この構成によれば、断熱材を形成する工程において、少なくとも背面部と前記突出部とが一体形成されるので、より良好な断熱効果を得ることができる。
【００１５】
また、本発明は、突出部が、商品収容部の背面に近接するように前方に突出して形成され、突出部と商品収容部の背面との間の隙間寸法ａが、断熱材の背面部と商品収容部の背面との間の隙間寸法ｂに対して、０．２〜０．６倍であることを特徴とする。この構成によれば、ダクトへの吸引力が小さい場合には、突出部により商品収容部における上部の空気が吸引され難くなって、ファンなどにより送られた空気が商品収容部の上部まで流れ込んで循環することを最小限に抑えることができる。一方、ダクトへの吸引力を大きくした場合には、突出部と商品収容部の背面との間の隙間から空気が流入するので、商品収容部における上部の空気も吸引することができて、商品収容部全体に加温または冷却された空気を良好に循環させることができる。このように、突出部と商品収容部の背面との間に隙間を設けることで、ダクトへの吸引力を調整すれば、加温または冷却された空気の循環範囲を調整することができ、特に、突出部と商品収容部の背面との間の隙間寸法ａが、ダクトの前後方向の厚み寸法ｂに対して、０．２〜０．６倍であるように設定することで、加温または冷却された空気の循環範囲をより良好に調整することができる。
【００１６】
また、本発明は、突出部が設けられていない断熱材の薄肉の部分の少なくとも一部に、突出部の厚肉部分よりも、断熱性が高い断熱材が配設されていることを特徴とする。この構成によれば、断熱材における突出部が設けられている厚肉部分だけでなくて、突出部が設けられていない薄肉部分でも高い断熱性を得ることができて、良好な断熱効果を略均等に得ることができる。
【００１７】
また、本発明は、突出部におけるダクトの上開口部と対向する箇所に、この箇所を空気が通過する際の圧力損失を低減する圧力損失低減形状部が形成されていることを特徴とする。この構成によれば、圧力損失低減形状部により、ダクトの上開口部を空気が通過する際の圧力損失を低減することができるので、冷却手段や加温手段の稼動時間の短縮化、ひいては、電気代の低減や省エネルギー化をさらに図ることができる。
【００１８】
また、本発明は、前記突出部とダクトの上端部との間の隙間と、商品収容部との境界部を、これらの間の圧力差によって開閉する開閉体が設けられていることを特徴とする。この構成によれば、ファンを駆動させるなどしてダクトを通して空気を吸引した際には、商品収容部とダクト上方の隙間部分との圧力差によって開閉体が開いて、ダクトを通して、商品収容部の空気を吸引することができる。一方、ファンの停止時など商品収容部とダクト上方の隙間部分との圧力差がない場合には開閉体が閉じられる。したがって、ファンが停止した際に、庫内の下部に溜まった暖かい空気が、ダクトを通して、商品収容部の下部からさらに商品収容部の中央部や上部側に流れ込むなどして、商品収容部内の空気が対流し、電気代の低減や省エネルギー化が阻害されることを防止することができる。
【発明の効果】
【００１９】
以上のように本発明によれば、ダクトの上方に、商品収容部の背面に当接または近接するように前方に突出して、これより上方からダクトの上開口部に向けて空気が流入することを阻止する突出部を、ダクトの上開口部から隙間をあけた状態で、形成することにより、ファンなどにより送られた空気が商品収容部の上部まで流れ込んで循環することを最小限に抑えることができ、冷却手段や加温手段の稼動時間の短縮化、ひいては、電気代の低減や省エネルギー化を図ることができる。
【００２０】
また、突出部を、外箱に取り付けられた前記断熱材により形成し、この断熱材における箱形状部分における少なくとも背面部と前記突出部とを一体形成させることにより、より良好な断熱効果を得ることができる。
【００２１】
また、突出部を、商品収容部の背面に近接するように前方に突出して形成され、突出部と商品収容部の背面との間の隙間寸法ａが、ダクトの前後方向の厚み寸法ｂに対して、０．２〜０．６倍であるように構成することにより、ダクトへの吸引力を調整して、冷却または加温された空気の循環範囲を良好に調整することができる。
【００２２】
また、突出部が設けられていない断熱材の薄肉の部分の少なくとも一部に、突出部の厚肉部分よりも、断熱性が高い断熱材を配設することにより、厚肉部分と薄肉部分とがあるにもかかわらず、良好な断熱効果を略均等に得ることができて、さらに、冷却手段や加温手段の稼動時間の短縮化、ひいては、電気代の低減や省エネルギー化を図ることができる。
【００２３】
また、突出部におけるダクトの上開口部と対向する箇所に、この箇所を空気が通過する際の圧力損失を低減する圧力損失低減形状部を形成することにより、冷却手段や加温手段の稼動時間の一層の短縮化、ひいては、電気代の低減や省エネルギー化を一層図ることができる。
【００２４】
また、前記突出部とダクトの上端部との間の隙間と、商品収容部との境界部を、これらの間の圧力差によって開閉する開閉体を設けたことにより、ファンが停止した際に、ダクトを通して商品収容部内の空気が対流するような空気の流れを生じて、電気代の低減や省エネルギー化が阻害されることを防止することができる。
【図面の簡単な説明】
【００２５】
【図１】本発明の実施の形態に係る自動販売機の側面断面図である。
【図２】（ａ）は、本発明の実施の形態１に係る同自動販売機のダクトの上端部およびその近傍箇所の要部拡大断面図であり、（ｂ）は本発明の実施の形態２に係る同自動販売機のダクトの上端部およびその近傍箇所の要部拡大断面図である。
【図３】比較例としての自動販売機の側面断面図である。
【図４】（ａ）および（ｂ）は、それぞれ、本発明の実施の形態１、２に係る自動販売機の断熱材の製造方法を示す断面図である。
【図５】本発明の実施の形態３に係る自動販売機の側面断面図である。
【図６】同実施の形態３に係る自動販売機のダクトの上端部およびその近傍箇所の要部拡大断面図である。
【図７】（ａ）および（ｂ）は、それぞれ、本発明の実施の形態３に係る自動販売機の断熱材の製造方法を示す断面図である。
【図８】（ａ）〜（ｄ）は、それぞれ、本発明の実施の形態４に係る自動販売機のダクトの上端部およびその近傍箇所の要部拡大断面図である。
【図９】（ａ）および（ｂ）は、それぞれ、本発明の実施の形態４に係る自動販売機の断熱材の製造方法を示す断面図である。
【図１０】本発明の実施の形態４に係る自動販売機の側面断面図である。
【図１１】同実施の形態４に係る自動販売機のダクトの上端部およびその近傍箇所の要部拡大断面図である。
【図１２】従来の自動販売機の断熱構造を示す要部側面断面図である。
【図１３】他の従来の自動販売機の断熱構造を示す要部側面断面図である。
【発明を実施するための形態】
【００２６】
以下、本発明の実施の形態に係る自動販売機の断熱構造を図面に基づき説明する。まず、本実施の形態に係る断熱構造が設けられている自動販売機について説明する。
図１に示すように、前面扉１を開閉自在に支持する自動販売機本体２内に、商品を収納する庫内（庫内空間）３が設けられている。すなわち、自動販売機本体２の外郭部分をなす外箱４において、その内壁面の上部から中央部にかけて略箱形状の断熱材５が取り付けられ、この断熱材５の内部空間が庫内３とされている。庫内３はその前面開口部が内扉６により開閉自在とされており、庫内３の上部から中央部にかけて、商品を蛇行状に積み上げるなどして収納する商品収容部７が配設されている。なお、商品収容部７の下部には、下方に搬送されてきた商品を１つずつ払い出す払出機構８などが設けられている。また、庫内３における商品収容部７の下方には、商品収容部７から排出された商品Ｘを、前面扉１の下部に設けられた商品取出口１０に案内するシュート１１が配設され、このシュート１１には通気用の孔（図示せず）が多数形成されている。
【００２７】
断熱材５の背面部５ａの内壁と商品収容部７の背面７ａとの間の下部には、上下に延びる通風用のダクト９が配設されている。ダクト９の上端部には上開口部９ａが設けられ、この上開口部９ａは、商品収容部７の背面７ａにおける上下方向の下部に対応する位置に開口されている。ダクト９の下端部には下開口部９ｂが形成され、この下開口部９ｂ近傍には、ダクト９を通して、庫内３の空気を吸引して送風する送風手段としてのファン１２が配設されている。
【００２８】
ダクト９の下開口部９ｂが開口されている庫内３の底部、すなわち、庫内３における商品収容部７の下方には、冷却手段および加温手段としての熱交換器１３、送風手段としての前記ファン１２、キャピラリチューブ（図示せず）などが配設され、また、断熱材５の底面部５ｂよりも下方に位置する自動販売機本体２の底部空間（いわゆる庫外１４）には圧縮機１５や熱交換器１６などが配設されている。そして、庫内の熱交換器１３、庫外１４の圧縮機１５、庫外１４の熱交換器１６、キャピラリチューブ（図示せず）、冷媒の流れを切り換える切換器（図示せず）などが接続されて冷却手段および加温手段の両機能をなすことが可能な冷凍サイクルが構成されている。
【００２９】
コールド飲料の商品Ｘを販売する際には、庫内３の熱交換器１３が蒸発器として作動する一方、庫外１４の熱交換器１６が凝縮器として作動し、庫内３の熱交換器１３で冷却された空気が循環されて商品Ｘが冷却される。ホット飲料の商品Ｘを販売する際には、庫内３の熱交換器１３が凝縮器として作動する一方、庫外１４の熱交換器１６が蒸発器として作動し、庫内３の熱交換器１３で加温された空気が循環されて商品Ｘが加温される。すなわち、何れの場合もファン１２にて加温または冷却された空気が庫内３の下部から商品収容部７側に送られる。加温または冷却された空気は、商品収容部７内を通過した後、ダクト９の上開口部９ａからダクト９内に流入し、ダクト９を通ってダクト９の下開口部９ｂから排出され、再度、加温または冷却されて庫内３を循環する。
【００３０】
ここで、本発明の実施の形態１においては、図１、図２（ａ）に示すように、特に、ダクト９の上方に、商品収容部７の背面７aに当接するように断熱材５における背面部５ａから前方に突出して、これより上方からダクト９の上開口部９ａに向けて空気が流入することを阻止する突出部５ｃが、ダクト９の上開口部９ａから所定間隔の隙間（ダクト９内へ支障なく空気を流入できる程度の間隔の隙間）２０をあけた状態で、形成されている。すなわち、比較例（従来例）としての自動販売機（従来例）を図３に示すが、この比較例の自動販売機の断熱材５では、ダクト９の上方における断熱材５の背面部５ａと商品収容部７の背面７aとの間は空間部７０が設けられていたが、本発明の実施の形態に係る自動販売機では、この空間部７０に対応するダクト９の上開口部９ａの直上方箇所を除き、突出部５ｃが設けられている点が異なる。
【００３１】
本発明の実施の形態１に係る自動販売機においては、突出部５ｃは断熱材５により形成され、この断熱材５における箱形状部分（背面部と底面部と天井面部および両側面部からなる部分）における少なくとも背面部５ａと前記突出部５ｃとが発泡材などにより一体形成されている。
【００３２】
断熱材５は、例えば、図４（ａ）に示すように、平板状の木枠２１Ａと、段つきの木枠２１Ｂとの間にウレタン樹脂の断熱材を発泡させながら注入することにより製造したり、図４（ｂ）に示すように、平板状の木枠２１Ａ、２１Ｃの一方に、断面矩形の中子２２Ａを嵌め込んで製造したりすればよく、これにより、一般の自動販売機の断熱材と同様な製造工程により、つまり、製造工数の増加を最小限に抑えながら、突出部５ｃを一体形成した断熱材５を製造することができる。なお、木枠２１Ａ〜２１Ｃや中子２２Ａの内面には、紙面材や樹脂材（ＰＥＴなど）を貼り付けて、この紙面材や樹脂材の内側にウレタン断熱材を発泡させながら注入することが好ましく、この場合には、紙面材や樹脂材で囲まれた発泡ウレタン樹脂からなる断熱材５を良好に製造できる。
【００３３】
上記構成によれば、突出部５ｃが設けられている箇所から、ダクト９の上開口部９ａに向けて空気が流入することが阻止されるので、商品収容部７における上部の空気が吸引され難くなって、ファン１２などにより送られた空気が商品収容部７の上部および中央部まで流れ込んで循環することを最小限に抑えることができる。すなわち、比較例としての図３に示すような自動販売機では、ダクト９の上方が全て空間部７０であったので、ダクト９により商品収容部７の上部の空気も吸い込んで、ファン１２などにより送られた空気が商品収容部７の上部や中央部まで流れ込んで循環していたが、本発明の実施の形態に係る自動販売機ではこのような不具合を防止できる。これにより、商品収容部７の下部の商品Ｘを集中して冷却したり加温したりすることができて、冷却手段や加温手段である冷凍サイクルの稼動時間の短縮化、ひいては、電気代の低減や省エネルギー化を図ることができる。
【００３４】
また、上記構成によれば、突出部５ｃが、外箱４に取り付けられた断熱材５により形成され、この断熱材５の箱形状部における少なくとも背面部５ａと突出部５ｃとを一体形成しているので、突出部５ｃを有しない図３に示すような比較例としての自動販売機と同様な製造工程で、製造することができる。
【００３５】
上記実施の形態１では、断熱材５の突出部５ｃが商品収容部７の背面７aに当接している場合を述べたが、これに限るものではない。すなわち、本発明の実施の形態２では、図２（ｂ）に示すように、断熱材５の突出部５ｃを、商品収容部７の背面７aに近接するように前方に突出して形成している。そして、この場合には、突出部５ｃと商品収容部７の背面７aとの間に隙間（突出部・商品収容部背面間隙間）２５を生じるが、この隙間２５の寸法ａが、断熱材５の背面部５ａと商品収容部７の背面７aとの間の隙間（断熱材背面部・商品収容部背面間隙間）の寸法ｂ（すなわち、ダクト９の前後方向の厚み寸法とほぼ等しい）に対して、０．２〜０．６倍であるように構成すると好適である。さらにより好ましくは、前記突出部・商品収容部背面間隙間２５の寸法ａが、断熱材背面部・商品収容部背面間隙間の寸法ｂに対して、０．２８〜０．５６倍である場合が最も好適である。
【００３６】
この構成によれば、ファン１２の駆動回転数が小さくて、ダクト９への吸引力が小さい場合には、突出部５ｃにより商品収容部７における上部の空気が吸引され難くなって、商品収容部７における下部の空気Ｓ１だけが吸引され、ファン１２などにより送られた空気が商品収容部７の上部や中央部まで流れ込んで循環することを最小限に抑えることができる。一方、ファン１２の駆動回転数が大きくて、ダクト９への吸引力を大きくした場合には、突出部５ｃと商品収容部７の背面７ａとの間の隙間２５から空気Ｓ２が流入するので、商品収容部７における中央部や上部の空気も吸引するとができて、商品収容部７全体に加温または冷却された空気を良好に循環させることができる。
【００３７】
なお、この実施の形態２に係る自動販売機の断熱材５は、上記実施の形態１の図４に示す場合と同様な手法で製造することができる。
上記実施の形態１、２では、断熱材５としては、同じ材質の断熱材５を用いた場合を述べたが、これに限るものではない。
【００３８】
図５、図６に示すように、この実施の形態３では、突出部５ｃが設けられていない断熱材５の薄肉の部分の少なくとも一部に、突出部５ｃの厚肉の部分に設けられている断熱材５ｅ（すなわち、背面部５ａと突出部５ｃとを合わせた部分であり、例えば発泡断熱材より構成される）よりも、断熱性が高い断熱材である、例えば、真空断熱材５ｄが配設されている。
【００３９】
この構成によれば、断熱材５における突出部５ｃが設けられている箇所は、突出部５ｃが設けられている分だけ、従来の背面部５ａだけの場合よりも前後方向の厚み分だけ、断熱性能が大きくなるが、この箇所だけでなくて、突出部５ｃが設けられていない薄肉箇所での断熱性能を、高い断熱性を有する前記真空断熱材５ｄにより大きくすることができる。この結果、突出部５ｃおよび真空断熱材５ｄを含んだ、断熱材５の背面部分全体で、高い断熱性を略均等に得ることができ、さらなる、冷却手段や加温手段としての冷凍サイクルの稼動時間の短縮化、ひいては、電気代の低減や省エネルギー化を図ることができる。また、断熱材５の背面部５ａにおける上端部から下端部にわたって真空断熱材５ｄを設ける場合と比較すると、上記構成によれば、真空断熱材５ｄとして小さい寸法のもので済ますことができるので、その分だけ、製造コストを低減できる利点もある。
【００４０】
なお、この実施の形態３に係る自動販売機の断熱材５も、上記実施の形態１の図４に示す場合と同様な手法で製造することができる。すなわち、図７（ａ）に示すように、平板状の木枠２１Ａと、段つきの木枠２１Ｂとの間に真空断熱材５ｄを配設した状態で、ウレタン樹脂の断熱材を発泡させながら注入することにより、断熱材５を製造したり、図７（ｂ）に示すように、平板状の木枠２１Ａ、２１Ｃの間に、断面矩形の中子２２Ａを嵌め込むとともに真空断熱材５ｄを配設した状態で、ウレタン樹脂の断熱材を発泡させながら注入して製造したりすればよい。これによっても、製造工数の増加を最小限に抑えながら、真空断熱材５ｄを有するとともに突出部５ｃを一体形成した断熱材５を製造することができる。
【００４１】
また、上記実施の形態１〜３では、ダクト９の上開口部９ａと対向する、断熱材５における突出部５ｃと背面部５ａとの接合部分は、直角形状とされていたが、これに限るものではなく、図８（ａ）〜（ｄ）に示すように、突出部５ｃにおけるダクト９の上開口部９ａと対向する箇所に、この箇所を空気が通過する際の圧力損失を低減する圧力損失低減形状部５ｆ、５ｇ、５ｈを形成してもよい（実施の形態４）。
【００４２】
すなわち、ダクト９の上開口部９ａと対向する、断熱材５における突出部５ｃと背面部５ａとの一体形成された接合隅部分を、図８（ａ）、（ｂ）では、内側に円弧状に湾曲する形状で圧力損失低減形状部５ｆを形成した場合を示し、図８（ｃ）では、内側に傾斜するテーパ形状で圧力損失低減形状部５ｇを形成した場合を示す。また、図８（ｄ）では、断熱材５における突出部５ｃの下端部の角部分を、円弧状に湾曲する形状の圧力損失低減形状部５ｈを形成した場合を示す。
【００４３】
何れの場合も、突出部５ｃとダクト９の上開口部９ａとの間の隙間２０を通る際に、この箇所に、圧力損失低減形状部５ｆ、５ｇ、５ｈが形成されていることにより、突出部５ｃの下端部に臨む隙間２０で渦が発生することが防止され、圧力損失が生じることを最小限に抑えることができる。これにより、さらに、冷却手段や加温手段の稼動時間の短縮化、ひいては、電気代の低減や省エネルギー化をさらに図ることができる。
【００４４】
なお、この実施の形態４に係る自動販売機の断熱材５も、上記実施の形態１の図４に示す場合と同様な手法で製造することができる。すなわち、図９（ａ）に示すように、平板状の木枠２１Ａと、段部分が湾曲面形状部２１ｄとされた段つきの木枠２１Ｄとの間に、ウレタン樹脂の断熱材を発泡させながら注入することにより、断熱材５を製造したり、図９（ｂ）に示すように、平板状の木枠２１Ａ、２１Ｃの間に、湾曲面形状部２２ｂを有する断面略矩形の中子２２Ｂを嵌め込んだ状態で、ウレタン樹脂の断熱材を発泡させながら注入して製造したりすればよい。これによっても、一般の自動販売機の断熱材と同様な製造工程により、つまり、製造工数の増加を最小限に抑えながら、突出部５ｃおよび圧力損失低減形状部５ｆ、５ｇ、５ｈを一体形成した断熱材５を製造することができる。
【００４５】
また、図１０は本発明のさらに他の実施の形態（実施の形態５）に係る自動販売機を示すもので、この自動販売機では、断熱材５の突出部５ｃの下端からダクト９の上開口部９ａ側に垂下する姿勢で、突出部５ｃとダクトの上端部との間の隙間２０と、商品収容部７との境界部を、これらの間の空気の圧力差によって開閉する開閉体２７が設けられている。ここで、開閉体２７としては、例えば、軟らかくて、いわゆる腰のない、紙や樹脂性のシート材で構成する。
【００４６】
この構成によれば、庫内３のファン１２を駆動させるなどしてダクト９を通して空気を吸引した際には、図１１において仮想線で示すように、商品収容部７の下部とダクト９上方の隙間２０部分との圧力差によって開閉体２７が開いて、ダクト９を通して、商品収容部７の下部の空気を吸引することができる。一方、庫内３のファン１２の停止時など商品収容部７の下部とダクト９上方の隙間２０部分との圧力差がない場合には、図１１において実線で示すように、開閉体２７が閉じられる。しがたって、ファン１２が停止した際に、庫内３の熱交換器１３付近に溜まった暖かい空気が、ダクト９を通して、商品収容部７の下部からさらに商品収容部７の中央部や上部側に流れ込むなどして、商品収容部７内の空気が対流し、電気代の低減や省エネルギー化が阻害されることを防止することができる。
【００４７】
また、上記構成によれば、ファン１２を駆動させるなどして、商品収容部７の下部とダクト９上方の隙間２０部分との圧力差によって開閉体２７が開いた際に、開閉体２７が、ダクト９の上開口部９ａと対向する、断熱材５における突出部５ｃと背面部５ａとの一体形成された接合隅部分を、内側に円弧状に湾曲する形状に変形して覆うようにしながら開くので、突出部５ｃの下端部に臨む隙間２０で渦が発生することが防止される。この結果、圧力損失が生じることを最小限に抑えることができ、さらなる冷却手段や加温手段の稼動時間の短縮化、ひいては、電気代の低減や省エネルギー化をさらに図ることができる。
【００４８】
なお、上記実施の形態では、庫内３に配設した熱交換器１３を加温手段および冷却手段として用いた場合を述べた。しかし、前記熱交換器１３は、上記したように加温用と冷却用とを切り換えて使用するものに限るものではなく、加温用の熱交換器と冷却用の熱交換器とを２台設けてもよい。また、加温用の熱交換器の代わりにヒータを設けてもよい。
【００４９】
また、上記実施の形態では、突出部５ｃが商品収容部７の上端部に対応する箇所まで設けられている場合を述べたが、この構成に限るものではなく、突出部５ｃがダクト９の上開口部９ａに対向するように一部だけに（例えば、商品収容部７の上下方向に対する中央部に対応する位置だけに）配設されている場合でも、電気代の低減や省エネルギー化を図ることができる。
【００５０】
また、上記実施の形態では、ダクト９が、商品収容部７の下部の高さまで配設されている場合を述べ、この構成により、冷却または加温された空気が、商品収容部７の下部に集中して循環し、商品収容部７の中央部に循環することを最小限に抑えることができて、冷却手段や加温手段である冷凍サイクルの稼動時間の短縮化、ひいては、電気代の低減や省エネルギー化を特に良好に図ることができる。しかし、これに限るものではなく、ダクト９が、商品収容部７の中央部の高さまで配設されている場合でも、冷却または加温された空気が、商品収容部７の下部および中央部に集中して循環し、商品収容部７の上部に循環することを少なめに抑えることができて、冷却手段や加温手段である冷凍サイクルの稼動時間の短縮化、ひいては、電気代の低減や省エネルギー化を図ることができる作用効果を有する。
【００５１】
また、上記実施の形態では、断熱材５を製造する際に木枠２１Ａ、２１Ｃを用いた場合を述べたが、これに限るものではなく、金属枠などを用いてもよい。
【符号の説明】
【００５２】
２      自動販売機本体
３      庫内
４      外箱
５      断熱材
５ａ    背面部
５ｂ    底面部
５ｃ    突出部
７      商品収容部
７ａ    背面
９      ダクト
９ａ    上開口部
９ｂ    下開口部
１２    ファン（送風手段）
１３    熱交換器
１４    庫外
１５    圧縮機
１６    熱交換器
２０    隙間
２５    隙間
２６    真空断熱材
２７    開閉体
【図１】
2012003294.tif 000003
【図２】
2012003294.tif 000004
【図３】
2012003294.tif 000005
【図４】
2012003294.tif 000006
【図５】
2012003294.tif 000007
【図６】
2012003294.tif 000008
【図７】
2012003294.tif 000009
【図８】
2012003294.tif 000010
【図９】
2012003294.tif 000011
【図１０】
2012003294.tif 000012
【図１１】
2012003294.tif 000013
【図１２】
2012003294.tif 000014
【図１３】
2012003294.tif 000015